(57)【要約】【課題】高所に設置した場合でも複数備える送風機の各々について運転／停止の判別及び正常に動作しているか否かの確認が可能な送風装置を得ること。【解決手段】電動機と、それを駆動源として回転する羽根車２０とを有する送風機を複数個並列に設置した送風装置１０であって、電動機の各々に対応して設けられたランプ２４と、それぞれの電動機に対応するランプ２４を、電動機が正常に運転されている時には点灯させ、停止している時には消灯させ、異常運転時には点滅させる制御回路とを有する。【選択図】図１
2011052583.tif 000002
【特許請求の範囲】
【請求項１】
電動機と、該電動機を駆動源として回転するファンとを有する送風機を複数個並列に設置した送風装置であって、
前記送風機の各々に対応して設けられた発光手段と、
それぞれの送風機に対応する発光手段を、前記送風機が正常に運転されている時には第１の発光パターンで、停止しているときには第２の発光パターンで、異常運転時には第３の発光パターンで発光させる制御手段とを有することを特徴とする送風装置。
【請求項２】
前記電動機に流れる電流を検出する検出手段を有し、
前記制御手段は、前記検出手段の検出結果に応じて前記発光手段を前記第１〜第３のいずれかの発光パターンで発光させることを特徴とする請求項１記載の送風装置。
【請求項３】
前記電動機に流れる電流が所定の閾値範囲を外れたとき、前記制御手段は前記発光手段を前記第３の発光パターンで発光させることを特徴とする請求項２記載の送風装置。
【請求項４】
前記第１の発光パターンは点灯であり、前記第２の発光パターンは消灯であり、前記第３の発光パターンは点滅であることを特徴とする請求項１から３のいずれか１項記載の送風装置。
【請求項５】
前記発光手段から発する光の色が可変であり、前記第３の発光パターンは前記第１の発光パターンとは異なる色での発光であることを特徴とする請求項１から４のいずれか１項記載の送風装置。
【発明の詳細な説明】
【技術分野】
【０００１】
本発明は、天井付近に設置される送風装置に関し、特に、複数備える送風機の各々について運転／停止の判別及び正常に動作しているか否かの確認が可能な送風装置に関する。
【背景技術】
【０００２】
従来、換気効率の向上や、サーキュレーション効果によって空調機を補助して省エネルギー化を図る目的で設置される送風装置は、その性格上、天井付近の設置されることが多かった。
【０００３】
このため、特に天井が高い工場や倉庫などにおいては、送風装置からの風が直接当たる場所や、スイッチの状態（配電盤内のブレーカなど）を確認できる場所にいなければ、送風装置が運転されているか否かを判別することはできなかった。したがって、送風装置が故障などによって停止したままとなり、空調機を補助する能力の低下に伴って消費電力の増大を招いたり、換気効率が低下してしまったりする可能性があった。
【０００４】
特に、複数の送風機が並べて配置された送風装置では、一部の送風機が故障しても他の送風機から風が送られるため、故障が発生しているか否かがわかり難い。
【０００５】
しかし、動作の確認のために高所作業車を用意したり、足場を組んだりすることはコストや時間の面で非効率的であるため、送風機が正常に運転されているか否かを平常時に人間が居住している領域から確認できるようにすることが求められている。
【０００６】
特許文献１には、複数個の電動機及び複数個のファンが連なる送風装置において、吹出し口側の略三角形の底辺を開口とした形にてガイドを構成し、蛍光ランプなどからなる照明器をガイド内に配設した送風装置が開示されている。この送風装置は、入口付近に設置され、電動機及び照明器をオンすることによってエアーカーテンや入口照明として利用される。
【先行技術文献】
【特許文献】
【０００７】
【特許文献１】特開平６−３１３６０３号公報
【発明の概要】
【発明が解決しようとする課題】
【０００８】
上記特許文献１に開示される従来の送風装置は、蛍光ランプを用いていることからも明らかなように、あくまでも建物の出入口などの比較的低い場所に設置して入口照明として使用することを想定したものであり、情報を表示する目的で使用することを想定したものではない。しかも、蛍光ランプは複数個の電動機及びファンに対して一つしか設けられないため、照明器を情報表示目的に用いようとしても、各々の電動機を区別して発動機の状態を表示することはできない。
したがって、特許文献１に開示される発明は、電動機及びファンからなる送風機が複数個連なる送風装置において、各々の送風機の状態を区別して表示することができないという問題があった。
【０００９】
本発明は、上記に鑑みてなされたものであって、高所に設置された場合でも、複数備える送風機の各々について運転／停止の判別及び正常に動作しているか否かの確認が可能な送風装置を得ることを目的とする。
【課題を解決するための手段】
【００１０】
上述した課題を解決し、目的を達成するために、本発明は、電動機と、該電動機を駆動源として回転するファンとを有する送風機を複数個並列に設置した送風装置であって、送風機の各々に対応して設けられた発光手段と、それぞれの送風機に対応する発光手段を、送風機が正常に運転されている時には第１の発光パターンで、停止しているときには第２の発光パターンで、異常運転時には第３の発光パターンで発光させる制御手段と、を備えることを特徴とする。
【発明の効果】
【００１１】
本発明によれば、高所に設置された場合でも、複数備える送風機の各々について運転／停止の判別及び正常に動作しているか否かの確認が可能な送風装置を得られるという効果を奏する。
【図面の簡単な説明】
【００１２】
【図１】図１は、本発明にかかる送風装置の実施の形態１の構成を示す六面図である。
【図２】図２は、送風装置の正面図である。
【図３】図３は、送風装置の上面図である。
【図４】図４は、送風装置の背面図である。
【図５】図５は、送風装置の下面図である。
【図６】図６は、送風装置の左側面図である。
【図７】図７は、送風装置の右側断面図である。
【図８】図８は、送風装置が建物の天井に設置された状態を示す図である。
【図９】図９は、本発明にかかる送風装置の実施の形態２の正面及び底面の外観を示す図である。
【図１０】図１０は、ランプの設置位置と死角との関係を示す図である。
【発明を実施するための形態】
【００１３】
以下に、本発明にかかる送風装置の実施の形態を図面に基づいて詳細に説明する。なお、この実施の形態によりこの発明が限定されるものではない。
【００１４】
実施の形態１．
図１は、本発明にかかる送風装置の実施の形態１の構成を示す六面図である。図２は、送風装置１０の正面図である。図３は、送風装置１０の上面図である。図４は、送風装置１０の背面図である。図５は、送風装置１０の下面図である。図６は、送風装置１０の左側面図である。図７は、送風装置１０の右側断面図である。
【００１５】
送風装置１０の外筐１１は、天板１４、底板９、側板１５によって構成されており、背面側には吸い込み口１２が、これと対向する正面側には吹き出し口１３が設けられていることにより、前後が開口した箱状を呈している。
【００１６】
送風装置１０の正面には、吹き出し口１３を上下に２分割するようにガイド２７が取り付けられている。ガイド２７は、外筐１１の吹き出し口１３の中央に設けられ、吸い込み口１２側を頂点、吹き出し口１３側を底辺とする略三角形状の断面を備えている。ガイド２７の各角部は丸められており、吹き出し口１３内に多層平行ノズルを形成している。
ガイド２７が取り付けられたことにより、吹き出し口１３からは二つに分かれて噴流が吹き出すが、これらの間には負圧が発生するため、二つの噴流は吹き出し口１３からしばらく進行した後に合流する。これにより、噴流幅の広がり始める位置が吹き出し口１３から遠ざかり、噴流の広がりが抑制される。
【００１７】
風洞１６は、吸い込み口１２に装着されて等間隔に配置されている。風洞１６は、ねじ１７によって取り付け足１８を外筐１１へ共締めすることによって固定される。
【００１８】
電動機１９は、風洞１６に対応して同数設けられており、不図示の取り付け足を介して外筐１１に固定されている。電動機１９の回転軸１９ａには、軸流羽根からなる羽根車２０が設置されて、風洞１６内に配置されている。羽根車２０と電動機１９とが送風機を構成しており、羽根車２０は電動機１９が発生させる駆動力を受けて回転し、吸い込み口１２から吹き出し口１３へ向かう気流を発生させる。すなわち、電動機１９を運転することによって羽根車２０が回転し、吸い込み口１２から空気を取り込んで吹き出し口１３から噴流として噴射する。
【００１９】
側板１５には、外筐１１の外壁側となる面に取り付け金具２１が回動可能に設置されている。取り付け金具２１には、回動中心を中心として略半円状に複数個の角度ピッチ穴２６が設けられている。側板１５に設けられた不図示のねじ穴へ角度ピッチ穴２６を介してねじ２５をねじ止めすることにより、取り付け金具２１を側板１５に対して任意の角度で固定可能となっている。これにより、送風装置１０は吹き出し方向を任意方向に設定可能となっている。
【００２０】
図８に示すように、送風装置１０は、工場や倉庫などの大型の建造物である建物２２の天井２３へ取り付け金具２１を用いて設置される。なお、必ずしも天井への取り付けに限定される訳ではなく、壁面に設置しても良いことは言うまでもない。
【００２１】
ランプ２４には、送風装置１０が天井２３に設置された状態において、床面での照度（単位面積当たりの光束）が発光状態を確認可能な値以上となる輝度を有する光源が用いられている。ここで、床面での照度が発光状態を確認可能な値以上となる輝度を「高輝度」と定義する。
照度は光源からの距離の２乗に反比例するため、工場や倉庫の天井のような高所に設置する場合には、蛍光ランプのような低輝度の照明器で送風機の故障の有無を表示しても、確認者が床面付近から発光状態を識別することは難しいが、本実施の形態にかかる送風装置１０は、高輝度の光源をランプ２４として用いているため、確認者は床面付近から発光状態の識別が可能である。
【００２２】
送風装置１０は、制御回路が形成された不図示の回路基板を備えており、それに設けられた検出回路によって各電動機１９の状態を検出して、送風機の各々が正常であるか否かを判断する。例えば、検出回路が各電動機１９の電流値を検知し、それを制御回路が所定の閾値と比較することによって送風機の各々が正常であるか否かを判断する。その判断結果に応じて制御回路が、送風機の正常運転時にはランプ２４を点灯、停止時にはランプ２４を消灯、故障時にはランプ２４を点滅させることにより、確認者が居住域にいながら送風機が正常運転／停止／故障のいずれの状態にあるかを確認できるようになっている。
【００２３】
ランプ２４が発する光の色としては、自然光や照明光との差異（色差）が大きい色（赤や緑、青など）を選択することが好ましく、これらの色の光をランプ２４から発することで送風装置１０が高所に設置されて確認者との距離が離れていても、送風機が正常運転／停止／故障のいずれの状態にあるかの確認を容易に行えるようになっている。
【００２４】
送風機が故障していることをランプ２４の点滅によって示す場合、検出回路が電動機１９に発生した異常の種類まで特定できるのであれば、ランプ２４の点滅のパターンを変えることで、送風機に発生した故障の種類をも合わせて通知することが可能となる。例えば、ランプ２４を連続して点滅させる回数を変化させることによって、送風機にどのような故障が発生したのかを表示することが可能となる。
【００２５】
なお、ここでは送風機が故障していることを、ランプ２４を点滅させることによって表示する例を示したが、ランプ２４の発光色が可変であるならば、正常運転時とは異なる色でランプ２４を点灯させることによって送風機が故障していることを表示することも可能である。また、ランプ２４の発光色が可変である場合には、電動機１９に発生した異常の種類に応じて異なる色で点滅させることによって、送風機にどのような故障が発生したのかを表示することも可能である。なお、必ずしもランプ２４自体が複数の異なる色の光を選択的に発することが可能な光源である必要はなく、白色光を発する光源及び複数のカラーフィルタをランプ２４として用い、使用するカラーフィルタの種類を変えることで発光色を変化させるなどしても良い。
【００２６】
送風機が故障していることをランプ２４の発光状態で表示することにより、確認者は居住域にいながら送風機に対する保守・点検の要否を把握できる。
【００２７】
このように、本実施の形態にかかる送風装置は、送風機の各々に対応してランプ２４を備え、対応する送風機の電動機１９の状態に応じてランプ２４の発光状態を点灯／消灯／点滅と変化させる。このため、高所に設置された場合であっても確認者は送風機の各々について運転／停止の判別及び正常に動作しているか否かの確認が可能である。したがって、送風装置が故障などによって停止したままとなり、空調機を補助する能力の低下に伴って消費電力の増大を招いたり、換気効率が低下して作業環境の悪化を招いたりすることがない。
【００２８】
実施の形態２．
図９は、本発明にかかる送風装置の実施の形態２の正面及び底面の外観を示す図である。実施の形態１との相違は、本実施の形態においては外筐１１の底面をなす底板９にランプ２４が設置されている点である。
【００２９】
本実施の形態においては、外筐１１の底面をなす底板９にランプ２４が設置されているため、送風装置１０の吹き出し口１３と直交する底板９側からでも送風機の運転／停止の判別及び正常に動作しているか否かの確認が可能である。
天井２３と平行、又はこれに近い角度で送風するように送風装置１０が設置される場合、実施の形態１のように吹き出し口１３側にランプ２４が設けられていると、図１０（ａ）に示すように、ランプ２４の照射角よりも背面側となってランプ２４の発光状態を確認できない死角が床面上に形成されてしまう。したがって、天井２３と平行に近い角度で送風するように送風装置１０を設置する場合には、本実施形態のように底板９にランプ２４を設けることで、図１０（ｂ）に示すように、ランプ２４の発光状態を確認できない死角が床面上に形成されないようにすることが可能である。
【００３０】
この他については第１の実施形態と同様であるため、重複する説明は省略する。
【００３１】
なお、上記各実施の形態は本発明の好適な実施の一例であり、本発明はこれに限定されることはない。
例えば、上記実施の形態においては、送風機が運転／停止／故障のいずれの状態にあるかを、ランプ２４の点灯／消灯／点滅によって示す場合を例としたが、送風機の状態をランプ２４の発光状態によって区別できさえすればよく、上記各実施の形態とは異なる発光状態で送風機の状態を示してもよい。一例として、送風機の運転／停止／故障をランプ２４の消灯／点灯／点滅によって示すこともできる。
このように、本発明は様々な変形が可能である。
【産業上の利用可能性】
【００３２】
以上のように、本発明にかかる送風装置は、複数備える送風機の各々について運転／停止の判別及び正常に動作しているか否かの確認を容易に行える点で有用であり、特に、高所に設置して用いる場合に適している。
【符号の説明】
【００３３】
９  底板
１０  送風装置
１１  外筐
１２  吸い込み口
１３  吹き出し口
１４  天板
１５  側板
１６  風洞
１７  ねじ
１８  取り付け足
１９  電動機
１９ａ  回転軸
２０  羽根車
２１  取り付け金具
２２  建物
２３  天井
２４  ランプ
２５  ねじ
２６  角度ピッチ穴
２７  ガイド
【図１】
2011052583.tif 000003
【図２】
2011052583.tif 000004
【図３】
2011052583.tif 000005
【図４】
2011052583.tif 000006
【図５】
2011052583.tif 000007
【図６】
2011052583.tif 000008
【図７】
2011052583.tif 000009
【図８】
2011052583.tif 000010
【図９】
2011052583.tif 000011
【図１０】
2011052583.tif 000012